(57)【要約】【課題】  猫を飼育するペットゲージ等を構成する線材等に対して強固に設置することができる猫用爪とぎ器を提供する。【解決手段】爪とぎ具と、前記爪とぎ具の少なくとも一端部に設置される固定部と、前記固定部に対して所定角度で設置される第１挟持部と、前記第１挟持部との間に被挟持体を挟持して固定する第２挟持部とを備えることを特徴とする猫用爪とぎ器。【選択図】  図１
2015188408.tif 000002
【特許請求の範囲】
【請求項１】
爪とぎ具と、
前記爪とぎ具の少なくとも一端部に設置される固定部と、
前記固定部に対して所定角度で設置される第１挟持部と、
前記第１挟持部との間に被挟持体を挟持して固定する第２挟持部と、
を備えることを特徴とする猫用爪とぎ器。
【請求項２】
前記固定部は、前記爪とぎ具と前記第１挟持部との間隙を調整可能とする前後調整孔を備える請求項１に記載の猫用爪とぎ器。
【請求項３】
前記第１挟持部は、前記被挟持体に対する左右方向の位置を調整可能とする左右調整孔を備える請求項１又は請求項２に記載の猫用爪とぎ器。
【発明の詳細な説明】
【技術分野】
【０００１】
本発明は、猫を飼育するペットゲージ等を構成する線材等に設置できる猫用爪とぎ器に関するものである。
【背景技術】
【０００２】
従来より、ペットゲージ等の格子状に配設される線材に設置することができる猫用爪とぎ器が公知である。例えば、周縁にＵ字状の線材が取り付けられた半円盤状の固定部を爪とぎ具の上下方向から対向させて挟み込んで取り付け、Ｕ字状の線材の先端に設けられるボルトに取付板を挿通して、ペットケージの線材を固定部と取付板とで挟み込んで固定する猫用爪とぎ器が公知である（特許文献１参照）。
【先行技術文献】
【特許文献】
【０００３】
【特許文献１】特開２０１２−５０４１９号公報
【発明の概要】
【発明が解決しようとする課題】
【０００４】
しかしながら、特許文献１の構造では、半円盤状における固定部の板厚寸法による面圧で挟持して固定するため、ペットケージへの保持力不足が懸念され、猫が爪をとぐ際の負荷力によって、固定位置がずれてしまい、適切に使用することができない虞があった。
【０００５】
そこで、本発明はこのような問題点を解決するものであって、猫を飼育するペットゲージ等を構成する線材等に対して強固に設置することができる猫用爪とぎ器を提供することを課題とする。
【課題を解決するための手段】
【０００６】
前記問題点を解決するために、本発明の請求項１に記載の猫用爪とぎ器は、爪とぎ具と、前記爪とぎ具の少なくとも一端部に設置される固定部と、前記固定部に対して所定角度で設置される第１挟持部と、前記第１挟持部との間に被挟持体を挟持して固定する第２挟持部とを備えることを特徴とするものである。
【０００７】
また、本発明の請求項２に記載の猫用爪とぎ器は、請求項１に記載の猫用爪とぎ器において、前記固定部は、前記爪とぎ具と前記第１挟持部との間隙を調整可能とする前後調整孔を備えるものである。
【０００８】
また、本発明の請求項３に記載の猫用爪とぎ器は、請求項１又は請求項２に記載の猫用爪とぎ器において、前記第１挟持部は、前記被挟持体に対する左右方向の位置を調整可能とする左右調整孔を備えるものである。
【発明の効果】
【０００９】
本発明の猫用爪とぎ器では、被挟持体となる猫を飼育するペットゲージ等を構成する線材等を固定部に対して所定角度で設置される第１挟持部と第２挟持部で挟持して固定することができるので、強固に設置することができる。
【図面の簡単な説明】
【００１０】
【図１】本発明の実施例における猫用爪とぎ器の分解斜視図である。
【図２】本発明の実施例における猫用爪とぎ器をペットゲージに対して上下方向に設置する際の状態説明図である。
【図３】本発明の実施例における猫用爪とぎ器をペットゲージに対して左右方向に設置する際の状態説明図である。
【図４】本発明の実施例における猫用爪とぎ器をペットゲージの角部に対して設置する際の状態説明図である。
【発明を実施するための形態】
【００１１】
以下、本発明の実施の形態における猫用爪とぎ器を図面に基づいて説明する。以下の実施例では、被挟持体を猫用のペットケージとし、猫用爪とぎ器を当該ペットケージの内側に取り付けるものとして説明する。猫用のペットケージは、ペットケージ用線材が縦横方向の格子状に配設されることで側面が構成され、当該側面を六面体状又は多面体状に組み合わせてケージとするものである。
【００１２】
また、これに限られることなく、猫用爪とぎ器は、縦方向のペットケージ用線材を配設することで側面が構成されるペットケージに対しても設置することができるのは勿論である。
【００１３】
当該ペットケージは、室内の床面等に設置されるものであって、床面側を猫用爪とぎ器の下方とし、天井側を上方とする。また、上下方向に配設されるペットケージ用線材を基準とした隣接する線材への横方向を猫用爪とぎ器の左右方向とする。更に、ペットケージ用線材が形成する側面に対して直交する水平面上であって、上下方向に配設されるペットケージ用線材を基準としたケージの内側を前方とし、外側を後方とする。
【実施例】
【００１４】
本発明の実施例に係る猫用爪とぎ器は、図１及び図２に示すように、主に、猫の爪をとぐ爪とぎ具１０と、爪とぎ具１０の少なくとも一端部に設置される固定部２０と、固定部２０に対して所定角度で設置される第１挟持部３０と、第１挟持部３０との間に被挟持体となるペットケージ用線材Ｗを挟持して固定する第２挟持部４０とを備えて構成される。
【００１５】
爪とぎ具１０は、猫が自重をかけてぶら下がるようにして爪をといだり、寝ころんだりしながら爪をとぐことができるように長尺状に構成され、例えば、円柱状、角柱状等に形成される。また、爪とぎ具１０の上下両端部には、固定部２０を設置するための取付孔１１が長手方向に沿って設けられる。
【００１６】
また、当該爪とぎ具１０の表面部は、円柱状、角柱状等のベース部（図示しない）に、例えば、麻、布地、布製ロープ等を巻回して構成される。爪とぎ具１０は、その他、段ボール、木製等から構成されるものであってもよく、表面部が猫の爪をとぐために適したものであれば、特に制限されるものではない。本実施例においては、爪とぎ具１０は、円柱状のベース部に麻が長手方向に沿って巻回されることで構成される。
【００１７】
固定部２０は、爪とぎ具１０の両端部に設置され、第１狭持部３０を爪とぎ具１０に対して固定するために設けられる。当該固定部２０は、例えば、金属板、合成樹脂等からなり、略平板状にして形成されており、ボルト等の連結部材５０を挿通させるための貫通孔２１が所定箇所に設けられる。当該貫通孔２１は、爪とぎ具１０が第１狭持部３０との間隙を調整できるよう前後方向に伸びる長孔とすることが望ましい。当該貫通孔２１は、前後調整孔とされ、一つ又は複数個を設けることができる。
【００１８】
また、固定部２０の外形は、猫が怪我をしないように円弧状等に形成されることが望ましく、意匠性を向上させる観点から適宜の形状とすることができるのは勿論である。このような固定部２０は、爪とぎ具１０の上下方向に対して直交するように配置した状態で、連結部材５０によって爪とぎ具１０に着脱可能に取り付けられる。これにより、爪とぎ具１０の一部が消耗した際には、上下位置を入れ替えたり、交換したりすることができる。
【００１９】
第１狭持部３０は、固定部２０に対して所定角度で設置され、被挟持体とされるペットケージ用線材Ｗ等に爪とぎ具１０を固定するために設けられる。当該第１狭持部３０は、例えば、金属板、合成樹脂等からなり、略平板状に形成される。また、爪とぎ具１０を上下方向に配置した際、安定した状態で設置できるよう、隣接する少なくとも２本のペットケージ用線材Ｗを挟持できるよう、左右方向に所定寸法を有した形状とすることが望ましい。
【００２０】
また、第１狭持部３０には、固定手段６０を構成するボルト６１等を挿通させるための貫通孔３１が所定箇所に設けられる。当該貫通孔３１は、大きさの異なるペットケージであっても、隣接する少なくとも２本のペットケージ用線材Ｗの間隔に対応させてボルト６１を挿通させることができるよう、左右方向に伸びる長孔とすることが望ましい。当該貫通孔３１は、左右調整孔とされ、一つ又は複数個を設けることができる。
【００２１】
また、爪とぎ具１０は、図１及び図２に示すように、上下方向に配置されるのみならず、図３に示すように、左右方向に配置される場合もあるため、これに対応するようにして、別途の貫通孔３２を設けることもできる。より詳細には、当該貫通孔３２は、図１に示すように、貫通孔３１と同様にして、大きさの異なるペットケージであっても、隣接する少なくとも２本のペットケージ用線材Ｗの間隔に対応するよう上下方向に伸びる長孔とすることが望ましい。当該貫通孔３２は、左右調整孔とされ、一つ又は複数個を設けることができる。
【００２２】
すなわち、第１狭持部３０には、図２に示すように、爪とぎ具１０を上下方向に配置した際に左右方向に形成される貫通孔３１と、図３に示すように、爪とぎ具１０を左右方向に配置した際に左右方向に位置するようにして上下方向に形成される貫通孔３２とが設けられる。また、第１狭持部３０には、ネジ等を介して壁面、柱等へ取り付けるための貫通孔３３を適宜箇所に設けることもできる。当該貫通孔３３は、左右方向又は上下方向に長孔とすることもできる。このような第１狭持部３０は、固定部２０に対して一体に設けることもできるし、別体とすることもできる。
【００２３】
本実施例においては、図１に示すように、固定部２０に対して略直交するよう第１挟持部３０が設置されており、固定部２０と第１挟持部３０が略Ｌ字状に一体に構成される。また、猫用爪とぎ器の設置スペースを少なくする観点から、第１挟持部３０が爪とぎ具１０側に配置してなる。また、第１挟持部３０は、略Ｔ字状に形成されており、左右方向の２箇所に貫通孔３１を有し、上下方向の２箇所に貫通孔３２を有してなる。
【００２４】
第２挟持部４０は、第１挟持部３０との間にペットケージ用線材Ｗを挟持し、固定するために設けられる。当該第２狭持部４０は、例えば、金属板、合成樹脂等からなり、略平板状にして形成される。また、爪とぎ具１０を上下方向に配置した際、安定した状態で設置できるよう、隣接する少なくとも２本のペットケージ用線材Ｗを挟持できるよう、左右方向に所定寸法を有した形状とすることが望ましい。また、第２狭持部４０には、貫通孔３１、３２に対応するようにして貫通孔４１が設けられる。当該貫通孔４１は、左右調整孔とされ、一つ又は複数個を設けることができるし、長孔とすることもできる。
【００２５】
本実施例においては、図２に示すように、第２挟持部４０は、略Ｔ字状に形成される第１挟持部３０の左右方向に伸びる上端領域と略同一となるよう、左右方向に所定寸法を有して形成される。また、貫通孔４１は、貫通孔３１又は貫通孔３２に対応するよう２箇所に設けられる。
【００２６】
このようにして構成される猫用爪とぎ器は、図２及び図３に示すようにして、ペットケージのペットケージ用線材Ｗに取り付けられる。
【００２７】
猫用爪とぎ器を上下方向に取り付ける際には、図２に示すように、爪とぎ具１０を上下方向に配置し、第１挟持部２０と第２挟持部３０との間にペットケージ用線材Ｗを配置した状態とする。そして、第１挟持部２０と第２挟持部３０によって、ペットケージ用線材Ｗを挟持し、ボルト６１を第１挟持部３０側から貫通孔３１及び貫通孔４１へと挿通させ、第２挟持部４０側からナット６２にて固定する。
【００２８】
また、猫用爪とぎ器を左右方向に取り付ける際には、図３に示すように、爪とぎ具１０を左右方向に配置し、第１挟持部２０と第２挟持部３０との間にペットケージ用線材Ｗを配置した状態とする。そして、猫用爪とぎ器を上下方向に取り付ける際と同様にして固定する。このとき、第１挟持部３０には、爪とぎ具１０を左右方向へ配置した状態であっても、左右方向へ配設される貫通孔３２が設けられるので、第２挟持部４０を左右方向へ配置した状態で固定することができる。
【００２９】
このとき、猫用爪とぎ器をペットケージへ取り付ける際には、設置時の安定性を考慮して、猫用爪とぎ器の一端部に位置する第１挟持部２０及び第２挟持部３０において、隣接する少なくとも２本のペットケージ用線材Ｗを挟持して固定することが望ましい。
【００３０】
以上、説明した本発明に係る猫用爪とぎ器によれば、第１挟持部３０と第２挟持部４０によって、ペットケージ用線材Ｗへの接触面積を増加させた状態で挟持して固定するので、従来品と比較して強固に設置することができる。
【００３１】
また、固定部２０に貫通孔２１（前後調整孔）が設けられることから、爪とぎ具１０と第１挟持部３０との間隙を調整することができる。これにより、設置しようとする箇所における上下の固定部２０の間にペットケージの枠体、柱等の障害物が位置する場合であっても、これを回避した状態で安定して設置することができる。
【００３２】
更に、少なくとも第１挟持部３０に貫通孔３１、３２（左右調整孔）が設けられることから、ペットケージの上下又は左右方向のみならず、斜め方向へも猫用爪とぎ器を取り付けることができる。
【００３３】
上述した実施例において、爪とぎ具１０、固定部２０、第１挟持部３０及び第２挟持部４０の形状、寸法、材質等を適宜変更して実施することが可能である。例えば、爪とぎ具１０においては、複数個を上下又は左右方向等に連結して使用することもできる。
【００３４】
また、図２及び図３に示すように、ペットケージの側面に設置させるため、第１挟持部３０が固定部２０に対して略直交するよう設けられるものであるが、これに限られるものではない。例えば、図４に示すように、固定部２０と第１挟持部３０とのなす角度を鈍角（例えば、１３５度）としてペットケージの角部に設置することもできるし、鋭角（例えば、４５度）として設置することもできる。更に、猫用爪とぎ器は、鈍角又は鋭角を有して設けられる固定部２０と第１挟持部３０によって、ペットケージの天井と側面にも設置することができる。
【００３５】
更に、図２及び図３に示すように、固定部２０は、爪とぎ具１０の両端部に設置されるものであるが、これに限られるものではない。例えば、爪とぎ具１０の一端部のみに対して、固定部２０及び第１挟持部３０を設置することもできる。係る際には、設置時の安定性を考慮して、第１挟持部３０を適宜の形状とし、第１挟持部３０に複数個の第２挟持部４０を固定できるように貫通孔３１、３２を設けることもできる。
【００３６】
更に、図２及び図３に示すように、第１挟持部３０と第２挟持部４０とを対向させて挟持するものであるが、これに限られるものではない。例えば、平面視略Ｖ字状となるよう、第１挟持部３０の一端部と第２挟持部４０の一端部とを連結させた状態とし、他端部相互を近接させるようにして挟持して固定することもできる。
【００３７】
また、上述した実施例において、一部構成を省略することができるし、一部抽出した構成とすることができるのは勿論である。
【符号の説明】
【００３８】
１０    爪とぎ具
２０    固定部
３０    第１挟持部
４０    第２挟持部
Ｗ      ペットケージ用線材
【図１】
2015188408.tif 000003
【図２】
2015188408.tif 000004
【図３】
2015188408.tif 000005
【図４】
2015188408.tif 000006